(57)【要約】【課題】膨張式おもちゃペレットおよび膨張装置を提供する。【解決手段】膨張式おもちゃペレットは、本体を含むのがよい。本体は、ニードルによって選択的に穴あけされるように構成されている。本体は、該本体を第１の形態から第２の形態に膨張させるように前記ニードルによって穴あけされるときに膨張装置によって把持されるように寸法および形状決めされているのがよい。【選択図】図１
2018061833.tif 000002
【特許請求の範囲】
【請求項１】
本体、および、前記本体から外方に延びるステムを有する膨張式おもちゃペレットであって、前記ステムは、ニードルによって選択的に穴あけされるように構成されており、前記ステムは、前記本体を第１の形態から第２の形態に膨張させるように前記ニードルによって穴あけされるときに膨張装置によって把持されるように寸法および形状決めされている、膨張式おもちゃペレット。
【請求項２】
前記本体は、前記第１の形態にあるときに、円筒形状を有する、請求項１に記載のおもちゃペレット。
【請求項３】
前記本体は、前記第１の形態にあるときに、長円形状を有する、請求項１に記載のおもちゃペレット。
【請求項４】
前記ペレットの少なくとも一部は、プラスチックである、請求項１に記載のおもちゃペレット。
【請求項５】
前記ペレットの少なくとも一部は、化合物である、請求項１に記載のおもちゃペレット。
【請求項６】
前記ペレットの少なくとも一部は、ゴムである、請求項１に記載のおもちゃペレット。
【請求項７】
前記ペレットの少なくとも一部は、弾性材料である、請求項１に記載のおもちゃペレット。
【請求項８】
前記ペレットの少なくとも一部は、合成ゴムである、請求項１に記載のおもちゃペレット。
【請求項９】
前記ペレットの少なくとも一部は、スチレンエチレンブチレンスチレン(SEBS)である、請求項１に記載のおもちゃペレット。
【請求項１０】
前記ペレットの少なくとも一部は、０度ショアＡである、請求項９に記載のおもちゃペレット。
【請求項１１】
前記ペレットの少なくとも一部は、射出成形されるように構成された材料である、請求項１に記載のおもちゃペレット。
【請求項１２】
前記ペレットの前記一部は、接着材を含む、請求項４に記載のおもちゃペレット。
【請求項１３】
前記接着材は、前記ペレット内に埋設されている、請求項１２に記載のおもちゃペレット。
【請求項１４】
前記接着材は、前記ペレットの少なくとも一部上に被覆されている、請求項１２に記載のおもちゃペレット。
【請求項１５】
前記ステムは、前記ステムから前記ニードルが除去された後、かつ、前記本体が、前記第２の位置にあるときに、実質的にシールするように構成されている、請求項１に記載のおもちゃペレット。
【請求項１６】
前記ペレットの外側面の少なくとも一部は、前記本体が、前記第２の位置にあるときに、粘着表面を有する、請求項１に記載のおもちゃペレット。
【請求項１７】
前記ペレットは、前記第１の位置にあるときに、中実である、請求項１に記載のおもちゃペレット。
【請求項１８】
前記ペレットは、前記第２の位置にあるときに、内部チャンバを形成する、請求項１に記載のおもちゃペレット。
【請求項１９】
前記ペレットは、前記膨張装置と係合するための外側面に１つまたはそれ以上の溝を有する、請求項１に記載のおもちゃペレット。
【請求項２０】
前記１つまたはそれ以上の溝は、前記ステムの周のまわりに延びている、請求項１９に記載のおもちゃペレット。
【請求項２１】
前記第２の形態は、前記第１の形態の寸法の３倍と１０倍の間にある、請求項１に記載のおもちゃペレット。
【請求項２２】
前記おもちゃペレットは、前記第１の形態にあるときに、１０ｍｍ〜２０ｍｍの径を有する、請求項１に記載のおもちゃペレット。
【請求項２３】
前記ペレットは、前記第２の位置にあるときに、内側面および外側面を有する壁を形成し、前記壁は、厚さを有する、請求項１に記載のおもちゃペレット。
【請求項２４】
前記ステムは、遠位端上にフランジを有し、前記フランジは、少なくとも前記ニードルが前記ステムを穴あけするときに、前記膨張装置と係合するように構成されている、請求項１に記載のおもちゃペレット。
【請求項２５】
ペレットを膨張させるための膨張装置であって、該膨張装置は、
ポンプと、前記ペレットを位置決めするための面と、前記ポンプと流れ連通しているニードルと、を有するハウジングを含み、前記ニードルは、前記面に対して延長位置と引っ込め位置との間で移動するように構成されており、前記ニードルの少なくとも遠位端は、前記ポンプからの流体が前記ニードルから出されてペレットを膨張させるようにペレットが前記面によって支持されるときにペレットの少なくとも一部を穿刺するように延長位置にあるときに、前記面の上方に配置される、膨張装置。
【請求項２６】
前記ニードルは、中空である、請求項２５に記載の膨張装置。
【請求項２７】
膨張チャンバをさらに含み、前記膨張チャンバは、前記面の上で前記ハウジングに取り付け可能である、請求項２５に記載の膨張装置。
【請求項２８】
前記膨張チャンバは、前記ペレットが膨張形態にあるときに、前記ペレットを収容するように寸法決めされている、請求項２７に記載の膨張装置。
【請求項２９】
前記膨張チャンバを前記ハウジングに取り付けることにより、前記ニードルは、前記延長位置に移動される、請求項２７に記載の膨張装置。
【請求項３０】
前記ハウジングは、前記ポンプに向かう逆流流体流れを防止するように構成された逆止弁を含む、請求項２５に記載の膨張装置。
【請求項３１】
前記膨張チャンバは、第１のセクションおよび第２のセクションを含み、前記第２のセクションは、開放位置と閉鎖位置の間で前記第１のセクションに対して移動するように構成されている、請求項２５に記載の膨張装置。
【請求項３２】
前記第１のセクションおよび前記第２のセクションの少なくとも一方は、前記解放位置で前記ペレットを受け入れ、前記第２の位置で前記面に対してペレットの少なくとも一部を取り付ける、請求項３１に記載の膨張装置。
【請求項３３】
前記ニードルは、入口、および、少なくとも１つの出口を有する通路を含み、前記少なくとも１つの出口は、少なくとも前記ニードルが延長位置にあるときに、前記ペレットの位置に配置される、請求項２５に記載の膨張装置。
【請求項３４】
前記少なくとも１つの出口は、前記ニードルの遠位端上でシャワーヘッド形態を形成する、請求項３３に記載の膨張装置。
【請求項３５】
前記少なくとも１つの出口は、２つの出口を含み、前記２つの出口は、前記ニードルの直径方向両側に配置される、請求項３３に記載の膨張装置。
【請求項３６】
前記ポンプは、シリンダ内に摺動自在に配置されたピストンを含む、請求項２５に記載の膨張装置。
【請求項３７】
前記ポンプを作動するように構成されたハンドルをさらに含む、請求項２５に記載の膨張装置。
【請求項３８】
前記ニードルの表面は、１方向にニードルに沿ったペレットの移動に抵抗するように構成されている、請求項２５に記載の膨張装置。
【請求項３９】
前記ニードルの前記表面は、１つまたはそれ以上のとげを含む、請求項３８に記載の膨張装置。
【請求項４０】
前記ニードルの断面は、前記ニードルの中心軸線に沿って変化する、請求項３８に記載の膨張装置。
【請求項４１】
ニードルによって選択的に穴あけされるように構成されている本体を有する膨張式おもちゃペレットであって、前記本体は、該本体を第１の形態から第２の形態に膨張させるように前記ニードルによって穴あけされるときに膨張装置によって把持されるように寸法および形状決めされている、膨張式おもちゃペレット。
【請求項４２】
前記本体は、前記第１の形態にあるときに、楕円形状を有する、請求項１に記載のおもちゃペレット。
【請求項４３】
前記本体は、前記第１の形態にあるときに、丸いまたは球形形状を有する、請求項１に記載のおもちゃペレット。
【請求項４４】
前記ペレットの少なくとも一部は、４０度ショアＡ00である、請求項９に記載のおもちゃペレット。
【請求項４５】
前記ペレットの少なくとも一部は、圧縮成形されるように構成された材料である、請求項１に記載のおもちゃペレット。
【請求項４６】
前記ペレットは、前記ペレットの内部キャビティを構成する内部膜を含むことができる、請求項１に記載のおもちゃペレット。
【請求項４７】
前記第２の形態は、前記第１の形態の少なくとも３倍の寸法である、請求項１に記載のおもちゃペレット。
【発明の詳細な説明】
【技術分野】
【０００１】
関連出願に対する相互参照
本願は、出典を明示することによってその全体が本願の一部とされる２０１６年９月８日に出願された米国仮出願第62/385209号の利益を主張する。
【０００２】
本発明は、おもちゃに関し、さらに詳しくは、膨張式おもちゃ組立体並びにかかるおもちゃの膨張システムおよび方法に関する。
【背景技術】
【０００３】
おもちゃは、構造体を創出するために組み立てられることができる。おもちゃ構造体は、取り付けたり、分解したりすることができるいくつかの連動構成要素を含むことができる。構成要素はまた、接着材を付けることによって、或いは、アイロンのような熱源を使用して構成要素を加熱して構成要素を互いに融着することによって、或いは、構成要素をストリング、ワイヤー、ねじやま、ねじ、または、ファスナのようなコネクタと係合させることによって取り付けられることができる。
【発明の概要】
【発明が解決しようとする課題】
【０００４】
膨張式おもちゃペレットおよび膨張装置を提供する。
【課題を解決するための手段】
【０００５】
いくつかの実施形態では、膨張式おもちゃペレットが開示されている。ペレットは、本体、および、本体から外方に延びるステムを有する。ステムは、ニードルによって選択的に穴あけされるように構成されている。ステムは、本体を第１の形態から第２の形態に膨張させるようにニードルによって穴あけされるときに膨張装置によって把持されるように寸法および形状決めされている。
【０００６】
いくつかの実施形態では、ペレットを膨張させるための膨張装置が開示されている。膨張装置は、ポンプと、ペレットを位置決めするための面と、ポンプと流れ連通しているニードルと、を有するハウジングを含む。ニードルは、前記面に対して延長位置と引っ込め位置との間で移動するように構成されており、ニードルの少なくとも遠位端は、ポンプからの流体がニードルから出されてペレットを膨張させるようにペレットが前記面によって支持されるときにペレットの少なくとも一部を穿刺するように延長位置にあるときに、前記面の上方に配置される。
【０００７】
いくつかの実施形態では、膨張式おもちゃペレットが開示されている。ペレットは、ニードルによって選択的に穴あけされるように構成されている本体を有する。本体は、該本体を第１の形態から第２の形態に膨張させるようにニードルによって穴あけされるときに膨張装置によって把持されるように寸法および形状決めされている。
【０００８】
本開示の特徴は、添付の図面と関連して以下の説明および添付の特許請求の範囲を読むことによって明らかになるであろう。これらの図面は、本開示によるいくつかの実施形態を示しているにすぎず、その範囲を制限するものとは考えてはならないことを理解しつつ、添付の図面を使用して追加の特定および詳細とともに本開示を説明する。
【図面の簡単な説明】
【０００９】
【図１】好ましい実施形態による膨張装置の斜視図である。
【図２】図１の膨張装置のもう１つの斜視図である。
【図３】図１の膨張装置の背面斜視図である。
【図４】図１の膨張装置の正面図である。
【図５】いくつかの内部セクションを示す図１の膨張装置の背面図である。
【図６】図１の膨張装置の側面図である。
【図７】図１の膨張装置のもう１つの側面図である。
【図８】図１の膨張装置の頂面図である。
【図９】図１の膨張装置の底面図である。
【図１０】図１の膨張装置のいくつかの内部構成要素の正面図である。
【図１１】図１の膨張装置の分解図である。
【図１２】図１の膨張装置のいくつかの内部構成要素の斜視図である。
【図１３】図１の膨張装置の断面図である。
【図１４】図１の膨張装置の膨張チャンバおよび好ましい実施形態による膨張ペレットの斜視図である。
【図１５】図１４の膨張ペレットの斜視図である。
【図１６】図１４の膨張aペレットの正面図である。
【図１７】図１４の膨張ペレット頂面図である。
【図１８】図１４の膨張ペレットの底面図である。
【図１９】好ましい実施形態による複数の膨張式ペレットおよびコネクタの斜視図である。
【図２０】好ましい実施形態によるおもちゃ構造体の斜視図である。
【発明を実施するための形態】
【００１０】
以下の詳細な説明は、いくつかの特定の実施形態に向けられている。しかしながら、本願で開示されている発明は、特許請求の範囲によって規定され、カバーされる多くの異なる仕方で実施することができる。この詳細な説明では、同じ部品は、同じ参照番号で指示されている図面が参照される。本発明の特徴、観点、および、利点を、本願で開示されている展開の範囲内にあることを意図されるいくつかの実施形態の図面を参照して、説明する。これらのおよび他の実施形態は、当業者には、添付の図面を参照する実施形態の以下の詳細の説明から容易に明らかになり、本発明は、本願で開示されているいかなる特定の実施形態にも限定されない。
【００１１】
図１は、膨張装置１００の実施形態を示している。膨張装置１００のいくつかの実施形態は、ハウジング１０２、および、流体送給システムを含む。いくつかの実施形態ででは、膨張式おもちゃペレットのような膨張式おもちゃが、流体送給システムを通して流れる気体のような流体を受け入れるためにハウジング１０２内に位置決めされることができる。いくつかの実施形態では、流体は、空気である。
【００１２】
いくつかの実施形態では、膨張装置は、ベース１３６aを含む。いくつかの実施形態では、膨張装置１００は、本体１３６bを含む。ベース１３６aおよび本体１３６bは、ハウジングの少なくとも一部を形成することができる。
【００１３】
いくつかの実施形態では、膨張装置１００は、膨張チャンバ１１０を含む。いくつかの実施形態では、膨張装置１００は、膨張式おもちゃを受け入れ、または、収容するように構成されているのがよい。いくつかの実施形態では、膨張チャンバ１１０は、流体送給システムを通して流れる流体を受け入れるために膨張式おもちゃを位置決めするように構成されているのがよい。いくつかの実施形態では、膨張チャンバ１１０は、膨張式おもちゃが流体送給システムを通して流れる流体を受け入れる間に、膨張式おもちゃを所定位置に維持するように構成されているのがよい。
【００１４】
いくつかの実施形態では、膨張チャンバ１１０は、第１のセクション１６２aおよび第２のセクション１６２bを含むのがよい。第１のセクション１６２aおよび第２のセクション１６２bは、互いに移動可能に結合されているのがよい。いくつかの実施形態では、第１のセクション１６２aおよび第２のセクション１６２bは、開放形態と閉鎖形態の間で膨張チャンバ１１０を並進移動させるように互いに対して移動することができる。いくつかの実施形態では、第１のセクション１６２aおよび第２のセクション１６２bは、互いに対して回転することができる。いくつかの実施形態では、第１のセクション１６２aおよび第２のセクション１６２bは、ヒンジ１１１によって連結されている。いくつかの実施形態では、第１のセクション１６２aおよび第２のセクション１６２bは、開放形態と閉鎖形態の間で膨張チャンバ１１０を並進移動させるようにヒンジ１１１を中心として互いに対して回転することができる。いくつかの実施形態では、膨張は、形状が略球形であるのがよい。いくつかの実施形態では、膨張チャンバ１１０の形状は、膨張式おもちゃの膨張された形状と一致するように構成されているのがよい。
【００１５】
いくつかの実施形態では、膨張チャンバ１１０は、ゲージ１０６を含むのがよい。いくつかの実施形態では、ゲージ１０６は、少なくとも部分的に膨張チャンバ１１０内に位置決めされるのがよい。いくつかの実施形態では、ゲージ１０６は、膨張チャンバ１１０内で移動可能であるのがよい。いくつかの実施形態では、ゲージ１０６の少なくとも一部は、膨張チャンバ１１０内から外に延びるのがよい。いくつかの実施形態では、ゲージ１０６の少なくとも一部は、膨張チャンバ１１０内の開口部を通して延びるのがよい。いくつかの実施形態では、ゲージ１０６は、膨張チャンバ１１０内の膨張式おもちゃの膨張の寸法または程度の表示を提供する１つまたはそれ以上のマーキングを含むのがよい。いくつかの実施形態では、ゲージ１０６の表面は、膨張チャンバ１１０内の膨張式おもちゃの膨張の寸法または程度の表示を提供する１つまたはそれ以上のマーキングを含むのがよい。
【００１６】
いくつかの実施形態では、流体送給システムは、ポンプ１１４を含むのがよい。ポンプ１１４は、流体を、流体送給システムを通して流すように作動されるのがよい。いくつかの実施形態では、ポンプ１１４は、流体を、膨張チャンバ１１０内に流すように作動されるのがよい。いくつかの実施形態では、ポンプ１１４は、流体を、膨張チャンバ１１０内に位置決めされた膨張式おもちゃ内に流すように作動されるのがよい。いくつかの実施形態では、ポンプ１１４は、流体を、ハウジング１０２内の１つまたはそれ以上の通路を通して流すのがよい。いくつかの実施形態では、ポンプ１１４は、ハンドル１０４を含むのがよい。使用中、ハンドル１０４は、ポンプ１１４を作動して、流体を、流体送給システムを通して流すように操作されるのがよい。いくつかの実施形態では、ハンドル１０４は、レバーであるのがよい。いくつかの実施形態では、流体送給システムと関連した１つまたはそれ以上の逆止弁が、流体送給システムを通る流体の流れを制御することができる。いくつかの実施形態では、１つまたはそれ以上の逆止弁が、流体送給システム内で流体の逆流を抑制することができる。
【００１７】
いくつかの実施形態では、流体送給システムは、アクチュエータ１０８を含むのがよい。いくつかの実施形態では、アクチュエータ１０８は、レバーであるのがよい。いくつかの実施形態では、アクチュエータ１０８は、流体送給システムの１つまたはそれ以上のセクションを移動させるように操作されるのがよい。いくつかの実施形態では、アクチュエータ１０８は、管またはニードルのような流体送給システムのセクションを膨張式おもちゃに係合させ、および／または、膨張式おもちゃから係合を外すように作動されるのがよい。いくつかの実施形態では、アクチュエータ１０８は、管またはニードルのような流体送給システムのセクションを、膨張チャンバ１１０内に延長させ、および／または、膨張チャンバ１１０から引っ込めさせるように操作されるのがよい。いくつかの実施形態では、アクチュエータ１０８は、トラックまたはスロット１０９に沿って移動可能であるのがよい。
【００１８】
いくつかの実施形態では、膨張装置１００は、１つまたはそれ以上のコンパートメント１１２を含むのがよい。いくつかの実施形態では、１つまたはそれ以上のコンパートメント１１２は、ベース１３６aの一部であるのがよい。いくつかの実施形態では、１つまたはそれ以上のコンパートメント１１２は、膨張式おもちゃペレットのような１つまたはそれ以上の膨張式おもちゃを貯蔵するように使用されるのがよい。
【００１９】
図２は、図１に示されているような膨張装置１００の正面斜視図である。図３は、図１に示されているような膨張装置１００の背面斜視図である。図４は、図１に示されているような膨張装置１００の正面図である。図３は、図１に示されているような膨張装置１００の背面図である。図６は、図１に示されているような膨張装置１００の第１の側面図である。図７は、図１に示されているような膨張装置１００の第２の側面図である。図８は、図１に示されているような膨張装置１００の頂面図である。図９は、図１に示されているような膨張装置１００の底面図である。
【００２０】
図１０は、いくつかの内部構成要素を示す膨張装置１００のセクションの正面図である。図１０は、流体送給システムの実施形態である。
【００２１】
本願で説明されているように、流体送給システムのいくつかの実施形態は、ポンプ１１４を含む。いくつかの実施形態では、ポンプ１１４は、ポンプチャンバ１３４、および、ポンプチャンバ１３４内に摺動自在に配置されたプランジャ１３２を含む。いくつかの実施形態では、プランジャ１３２は、ハンドル１０４に係合するように構成された近位端を有するプランジャロッドを含む。いくつかの実施形態では、ハンドル１０４の移動は、ポンプチャンバ１３４内でのプランジャ１３２の移動を引き起こすことができる。プランジャ１３２のプランジャロッドの移動により、プランジャヘッドが空気を圧縮し、圧縮された空気は、流体送給システムを通して流される。いくつかの実施形態では、プランジャヘッドの周囲は、プランジャヘッドを超え、ポンプ１１４の近位端に向かう空気の逆流を防止すべくポンプチャンバ１３４の内部面に当接するように構成されるのがよい。いくつかの実施形態では、ポンプチャンバ１３４は、ベース１３６上に配置され、ハウジング１０２内に受け入れられるように構成されている。
【００２２】
流体挿入システムのいくつかの実施形態は、ニードルまたは管１２６を含む。流体送給システムのいくつかの実施形態は、通路１１６を含む。いくつかの実施形態では、通路１１６は、ポンプ１１４とニードル１２６との間で延びている。いくつかの実施形態では、通路１１６は、流体の流れを、流体送給システムを通して差し向けるように構成された１つまたはそれ以上のパイプ、管、または、管腔を含むのがよい。いくつかの実施形態では、流体送給システムは、流体送給システムの種々のセクションを接続する複数の通路１１６を含むのがよい。
【００２３】
使用に際して、ハンドル１０４は、ポンプ１１４を作動するように操作されるのがよい。いくつかの実施形態では、ポンプ１１４の作動により流体の圧縮が起こり、流体を、通路１１６を通して流すことができる。いくつかの実施形態では、流体は、通路からニードルの外に流れることができる。いくつかの実施形態では、ニードル１２６は、中空であるのがよい。いくつかの実施形態では、ニードル１２６は、入口、および、空気が通路から出て、膨張式おもちゃに入るための１つまたはそれ以上の孔を含むのがよい。いくつかの実施形態では、ニードル１２６は、流体を膨張式おもちゃに送給するために、その遠位端に少なくとも１つの孔を含むのがよい。いくつかの実施形態では、ニードル１２６は、その遠位端から間隔を隔てて配置された少なくとも１つの孔を含む。いくつかの実施形態では、複数の孔が、ニードル１２６の遠位端上にシャワーヘッド形態を形成するのがよい。いくつかの実施形態では、ニードル１２６の１つまたはそれ以上の孔は、膨張式おもちゃが第１の形態から第２の形態に膨張する間に、ニードルのまわりで円周方向に膨張式おもちゃが一様に膨張すること可能にするために間隔を隔てて配置されている。いくつかの実施形態では、ニードル１２６は、ニードル組立体１５６の一部であるのがよい。いくつかの実施形態では、ニードル組立体１５６は、ニードル１２６を収容するニードルチャンバを含むのがよい。
【００２４】
いくつかの実施形態では、膨張装置１００は、１つまたはそれ以上の逆止弁を含むのがよい。１つまたはそれ以上の逆止弁は、流体を、通路１１６を通してポンプ１１４からニードル１２６に流すことを可能にする。いくつかの実施形態では、１つまたはそれ以上の逆止弁は、通路１１６からポンプ１１４に向かう流体の逆流を防止する。いくつかの実施形態では、流体送給システムは、圧力チャンバを含むのがよい。いくつかの実施形態では、ポンプ１１３４は、通路１１６のようなハウジング１０２内の通路を通るガスを圧力チャンバで圧縮し、貯蔵するように構成されるのがよい。いくつかの実施形態では、流体送給システムは、圧力チャンバからポンプ１１４に向かう流体の流れを防止する逆止弁を含むのがよい。
【００２５】
いくつかの実施形態では、膨張装置１００は、膨張ボタンを含むのがよい。いくつかの実施形態では、膨張ボタンは、膨張チャンバ１１０内で圧縮チャンバからニードルまたは管内へのガスの流れを可能にするように操作されるのがよい。例えば、膨張ボタンは、さもなくば膨張チャンバ１１０内へのガスの流れを防止する弁を開放することができる。膨張式ペレットのような膨張式おもちゃは、膨張式おもちゃの膨張を可能にする、圧力チャンバから膨張チャンバ１１０内に流れるガスを受け入れるように膨張チャンバ１１０内に位置決めされるのがよい。
【００２６】
図１１は、膨張装置１００の分解図を示す。図１１に示されているように、いくつかの実施形態では、膨張チャンバ１１０は、膨張装置１００の本体１３６bから取り外し可能である。いくつかの実施形態では、本体１３６bは、ベース１３６aから取り外し可能である。
【００２７】
いくつかの実施形態では、膨張チャンバ１１０は、１つまたはそれ以上のタブ１６４を含む。いくつかの実施形態では、１つまたはそれ以上のタブ１６４は、膨張チャンバ１１０の内部面から突出するのがよい。いくつかの実施形態では、１つまたはそれ以上のタブ１６４は、膨張チャンバ１１０の第１のセクション１６２aから突出する第１のタブ（図示せず）、および、膨張チャンバ１１０の第１のセクション１６２bから突出する第２のタブを含む。いくつかの実施形態では、タブ１６４は、膨張装置１００の１つまたはそれ以上の構成要素と相互作用するように構成された１つまたはそれ以上の突出部、デテント、凹部、または、その他の表面特徴を含むのがよい。
【００２８】
いくつかの実施形態では、１つまたはそれ以上のタブ１６４は、膨張装置１００の本体１３６bの本体１３６b内に受け入れられるように構成されている。いくつかの実施形態では、１つまたはそれ以上のタブ１６４は、膨張装置１００の面１６６内に受け入れられるように構成されているのがよい。いくつかの実施形態では、１つまたはそれ以上のタブ１６４は、膨張装置１００の１つまたはそれ以上のリセプタクル１６５に受け入れられるように構成されている。いくつかの実施形態では、リセプタクル１６５は、膨張装置１００の面１６６内のスロットまたはトラックである。いくつかの実施形態では、１つまたはそれ以上のタブ１６４は、１つまたはそれ以上のリセプタクル１６５内に解放可能に取り付けられるのがよい。いくつかの実施形態では、膨張装置１００の面１６６は、膨張チャンバ１１０が面１６６と係合されるときに、膨張チャンバ１１０を支持することができる。
【００２９】
いくつかの実施形態では、膨張装置１００は、膨張チャンバ１１０が膨張装置１００の本体１３６b内に受け入れられるときに、膨張チャンバ１１０内に位置決めされた膨張式おもちゃが流体送給システムと整合するように構成されるのがよい。いくつかの実施形態では、膨張装置１００は、膨張チャンバ１１０内の膨張式おもちゃがニードル１２６を受け入れるように構成されるのがよい。いくつかの実施形態では、膨張チャンバ１１０が面１６６のリセプタクル１６５内に受け入れられるときに、膨張チャンバ１１０内の膨張式おもちゃが流体送給システムと整合するように、位置面１６６の１つまたはそれ以上のリセプタクル１６５と膨張チャンバ１１０との係合が、膨張チャンバ１１０を位置決め、および／または、取り付けることができる。いくつかの実施形態では、膨張チャンバ１１０が面１６６の１つまたはそれ以上のリセプタクル１６５内に受け入れられるときに、膨張チャンバ１１０内の膨張式おもちゃがニードル１２６を受け入れるように位置決めされるように、位置面１６６の１つまたはそれ以上のリセプタクル１６５と膨張チャンバ１１０との係合が、膨張チャンバ１１０を位置決め、および／または、取り付けることができる。
【００３０】
いくつかの実施形態では、ニードル１２６は、膨張装置１００の本体１３６b内で移動可能である。いくつかの実施形態では、面１６６は、開口部１６７を含む。いくつかの実施形態では、開口部１６７は、ニードル１２６を受け入れるように構成されるのがよい。いくつかの実施形態では、ニードル１２６は、膨張チャンバ１１０が膨張装置１００の面１６６の１つまたはそれ以上のリセプタクル１６５内にあるときに、開口部１６７を通して、膨張チャンバ１１０内に前進するように作動されるのがよい。
【００３１】
いくつかの実施形態では、アクチュエータ１０８は、ニードル１２６を膨張装置１００内に延長させ、および／または、膨張装置１１０から引っ込めさせるように操作されることができる。いくつかの実施形態では、アクチュエータ１２６は、膨張式おもちゃが膨張チャンバ１１０内に位置決めされるときに、ニードル１２６を、膨張式おもちゃに係合させ、および／または、膨張式おもちゃから係合を外すように操作されることができる。いくつかの実施形態では、アクチュエータ１０８は、第１の位置と第２の位置の間で移行されるのがよい。いくつかの実施形態では、アクチュエータ１０８の第１の位置は、ニードル１２６の静止または引っ込め位置に対応する。ニードル１２６の静止または引っ込め位置では、ニードル１２６は、ハウジング１０２内に全体的に位置決めされることができる。いくつかの実施形態では、アクチュエータ１０８の第２の位置は、ニードル１２６の作動または延長位置に対応している。作動または延長位置では、ニードル１２６は、開口部１６７から外に部分的に延長することができる。いくつかの実施形態では、第１の位置と第２の位置の間のアクチュエータ１０８の以降は、引っ込め位置と延長位置の間でニードル１２６を移行させることができる。第１の位置に位置決めされたアクチュエータ１０８および引っ込め位置に位置決めされたニードル１２６の例が、図１１に示されている。延長位置のニードル１２６の例が、図１０に示されている。
【００３２】
図１２は、いくつか内部構成要素を示す膨張装置１００のセクションの斜視図である。いくつかの実施形態では、ニードル組立体１５６は、膨張装置１００の本体１３６b内で移動可能である。いくつかの実施形態では、アクチュエータ１０８は、ニードル１２６を  開口部１２６を通して移動させ、および／または、開口部１６７から引っ込めさせるようにニードル組立体１５６を移動させるように構成されている。いくつかの実施形態では、ニードル組立体１５６は、アクチュエータ１０８に結合するように構成された１つまたはそれ以上の結合用部材１５２を含むのがよい。アクチュエータ１０８は、１つまたはそれ以上の結合用部材１５２に結合するように構成された１つまたはそれ以上の結合用部材１６０を含むのがよい。いくつかの実施形態では、１つまたはそれ以上の結合用部材１５２は、突出部またはロッドである。いくつかの実施形態では、１つまたはそれ以上の結合用部材１６０は、１つまたはそれ以上の結合用部材１５２を受け入れるように構成されたリセプタクルまたはスロットである。
【００３３】
いくつかの代替実施形態では、膨張装置１００は、膨張チャンバ１１０が膨張装置１００の本体１３６bに係合されるときに、ニードル１２６を膨張チャンバ内に延びるようにさせるニードル送給機構を含むのがよい。かかる実施形態では、膨張チャンバ１１０が膨張チャンバ１１０が膨張装置１００の本体１３６bから係合が外されるときに、ニードル１２６を膨張装置１００の本体１３６b内に引っ込めさせることができる。いくつかの実施形態では、ニードル送給機構は、１つまたはそれ以上のレバー、ピストン、ばね、或いは、膨張チャンバ１１０の係合および／または膨張チャンバ１１０の係合外れ応答して作動するように構成されたその他の移動構成要素を含むのがよく、１つまたはそれ以上のレバー、ピストン、ばね、或いは、膨張チャンバ１１０の係合に応答して作動するように構成されたその他の移動構成要素は、膨張チャンバ１１０の係合に応答して本体１３６bによりニードル１２６を膨張チャンバ１１０内に延びるようにさせ、膨張チャンバ１１０の係合外れに応答して本体１３６bによりニードル１２６を膨張チャンバ１１０から引っ込めさせる。いくつかの実施形態では、タブ１６４をリセプタクル１６５内に導入することにより、ニードル送給機構は、ニードル１２６を膨張チャンバ１１０内に延びるようにさせることができる。いくつかの実施形態では、リセプタクル１６５からタブ１６４の係合を外すことにより、ニードル送給機構は、ニードル１２６を膨張装置１００の本体１３６b内に引っ込めさせることができる。
【００３４】
いくつかの実施形態では、膨張装置１００は、係止システムを含むのがよい。いくつかの実施形態では、係止システムは、膨張装置１００の本体１３６bを使用するための方法における１つまたはそれ以上の段階中膨張装置１００の１つまたはそれ以上の構成要素を所定位置に維持するための１つまたはそれ以上の機構を含むのがよい。
【００３５】
いくつかの実施形態では、膨張装置１００は、ニードル１２６が面１６６の開口部１６７から外に延びるのを選択的に防止するように構成された係止機構１４０を含むのがよい。いくつかの実施形態では、係止機構１４０は、膨張装置１００の本体１３６内でのニードル組立体１５６の移動を選択的に防止することができる。いくつかの実施形態では、係止機構１４０は、開口部１６７に向かうニードル組立体１５６の移動を選択的に防止することができる。いくつかの実施形態では、係止機構１４０は、膨張チャンバ１１０が膨張装置１００の本体１３６b内に係合されていないときに、ニードル１２６が面１６６の開口部１６７から外に延びるのを防止することができる。いくつかの実施形態では、係止機構は、膨張チャンバ１１０が膨張装置１００の本体１３６bと係合されていないときに、第１の形態から第２の形態へのアクチュエータ１０８の並進移動を防止するように構成されている。
【００３６】
いくつかの実施形態では、係止機構１４０は、１つまたはそれ以上の部材１４２を含むのがよい。いくつかの実施形態では、部材１４２は、１つまたはそれ以上の回転部材を含むのがよい。いくつかの実施形態では、部材１４２は、ニードル１２６が開口部１６７から外に移動するのを防止すべく、および／または、開口部１６７の方向にニードル組立体１５６が移動するのを防止すべく、膨張装置１００内で移動するように構成された１つまたはそれ以上のデテント、突出部、リーフ(leaf)、凹部等を含むのがよい。いくつかの実施形態では、部材１４２は、リーフシャッタ機構として機能することができる。いくつかの実施形態では、部材１４２は、該部材１４２のすくなくともいくつかの１つまたはそれ以上が、開口部１６７から外へのニードル１２６の経路を遮るべく、ニードル１２６および／またはニードル組立体１５６と開口部１６７との間に位置決めされるように移動または回転することができる。
【００３７】
いくつかの実施形態では、部材１４２の少なくともいくつかは、膨張チャンバ１１０のタブ１６４に結合する、または、膨張チャンバ１１０のタブ１６４と相互作用するように構成された１つまたはそれ以上の面を含むのがよい。いくつかの実施形態では、リセプタクル１６５内でのタブ１６４の移動により、部材１４２は、係止形態と、非係止形態との間で並進移動されることができる。いくつかの実施形態では、係止形態において、部材１４２は、ニードル１２６が開口部から延びるのを防止するように位置決めされている。いくつかの実施形態では、非係止形態において、部材１４２は、ニードル１２６は、開口部１６７から外に延びるのを妨げられない。いくつかの実施形態では、タブ１６４は、部材１４２が非係止形態にある第１の形態と、部材１４２が係止形態に移動される第２の形態との間で移動されることができる。リセプタクル１６５がスロットまたはトラックであるいくつかの実施形態では、タブ１６４は、スロットまたはトラックに沿ってタブ１６４を摺動させることによって、第１の位置と第２の位置との間で移動されることができる。いくつかの実施形態では、タブ１６４は、該タブ１６４がリセプタクル１６５内に位置決めされている間に膨張チャンバ１１０を回転させることによって第１の位置と第２の位置との間で移動されることができる。
【００３８】
いくつかの実施形態では、膨張装置１００は、係止機構１５０を含むのがよい。いくつかの実施形態では、係止機構１５０は、膨張装置１００の本体１３６bから膨張チャンバ１１０の係合が外れるのを選択的に防止することができる。いくつかの実施形態では、係止機構１５０は、リセプタクル１６５からタブ１６４を選択的に取り外すことができる。いくつかの実施形態では、係止機構１５０は、リセプタクル１６５内でのタブ１６４の少なくともいくつかの移動を選択的に防止することができる。いくつかの実施形態では、係止機構１５０は、ニードル１２６が延長位置で開口部１６７から外に延びる間に、本体１３６bからの膨張チャンバの係合が外れるのを選択的に防止することができる。いくつかの実施形態では、係止機構１５０は、ニードル１２６が引っ込め位置で完全に本体１３６b内にあるときに、膨張チャンバ１１０は本体１３６bから取り外されることが可能である。
【００３９】
いくつかの実施形態では、係止機構１５０は、１つまたはそれ以上の部材１５４を含むのがよい。いくつかの実施形態では、部材１５４は、膨張装置１００の本体１３６bから膨張チャンバ１１０の係合が外れるのを制限すべく膨張装置１００内で移動するように構成された１つまたはそれ以上の突出部またはロッドを含む。いくつかの実施形態では、１つまたはそれ以上の部材は、非係止位置と係止位置との間で移動することができる、いくつかの実施形態では、膨張チャンバ１１０は、非係止形態において膨張装置１００の本体１３６bから係合が外されることができ、係止形態において膨張装置１００からの係止が外れるのを制限されることができる。いくつかの実施形態では、タブ１６４は、１つまたはそれ以上の部材１５４が非係止形態にあるときに、リセプタクル内で移動可能にされる。いくつかの実施形態では、タブ１６４は、部材１５４が係止形態にあるときに、少なくとも１方向においてリセプタクル内での移動が制限される。いくつかの実施形態では、部材１５４の１つの一部は、部材１５４が非係止形態にあるときにあるときに、リセプタクル１６５の１つの少なくとも一部内に位置決めされる。いくつかの実施形態では、１つまたはそれ以上の部材１５４は、部材１５４がリセプタクル１６５の少なくとも一部内に位置決めされているときに、リセプタクル１６５内でのタブ１６４の摺動を防止する。いくつかの実施形態では、１つまたはそれ以上の部材１５４は、該１つまたはそれ以上の部材１５４がリセプタクル１６５内に位置決めされ、かつ、タブ１６４がリセプタクル１６５内に位置決めされているときに、膨張チャンバ１１０の回転を防止する。
【００４０】
いくつかの実施形態では、１つまたはそれ以上の部材１５４は、アクチュエータ１０８に結合されているのがよい。いくつかの実施形態では、アクチュエータ１０８が第１の位置にあるときに、１つまたはそれ以上の部材１５４は、非係止形態にある。いくつかの実施形態では、アクチュエータ１０８が第２の位置に並進移動されるときに、１つまたはそれ以上の部材１５４は、１つまたはそれ以上の部材の一部内に移動する。いくつかの実施形態では、１つまたはそれ以上の部材１５４は、ニードル組立体１５６に結合されている。いくつかの実施形態では、第２の位置から第１の位置にアクチュエータ１０８が移動することにより、１つまたはそれ以上の部材１５４は、係止形態から非係止形態に移動される。
【００４１】
いくつかの実施形態では、部材１４２は、ニードル１２６が延長位置にある間に、膨張チャンバ１１０の係合外れを防止する１つまたはそれ以上のデテント、突出部、或いは他の表面特徴を含むのがよい。いくつかの実施形態では、部材１４２は、ニードルが延長位置にあるときに、少なくとも１方向において膨張チャンバ１１０の移動を防止する１つまたはそれ以上のデテント、突出部、或いは他の表面特徴を含むのがよい。いくつかの実施形態では、部材１４２は、ニードル１２６が延長形態にあるときに、膨張装置１００の面１６６から遠ざかる方向への膨張チャンバの移動を防止する１つまたはそれ以上のデテント、突出部、或いは他の表面特徴を含むのがよい。いくつかの実施形態では、部材１４２の１つまたはそれ以上のデテント、突出部、或いは他の表面特徴が、ニードル１２６が膨張装置の本体１３６bからの膨張チャンバ１００の係合外れを制限する延長形態にあるときに、膨張チャンバ１１０のタブ１６４の一部に係合することができる。いくつかの実施形態では、タブ１６４が部材１４２を係止形態に並進移動させるように部材１４２に係合するときに、タブ１６４の少なくとも一部が、部材１４２の面に接触する。いくつかの実施形態では、部材１４２の１つの一部は、ニードルが延長形態にあるときにタブ１６４の移動を防止するようにタブ１６４の１つの一部と係合する。
【００４２】
図１２に示されているように、ゲージ１０６は、カップ１０７を含むのがよい。いくつかの実施形態では、ゲージ１０６は、膨張式おもちゃが膨張チャンバ１１０内に取り付けられているときに、カップ１０７が膨張式おもちゃと整合するように、位置決めされることができる。いくつかの実施形態では、ゲージ１０６は、膨張チャンバ１１０が膨張チャンバ１１０の本体１３６bに結合されるときに、カップ１０７が膨張式おもちゃの一部に係合するように膨張チャンバ１１０内で移動されることができる。いくつかの実施形態では、ゲージ１０６は、膨張式おもちゃの膨張により、例えば、ゲージ１０６のカップ１０７に力を及ぼすことによって、ケージ１０６が膨張チャンバ１１０から外に移動されるように、膨張チャンバ１１０内に位置決めされるのがよい。いくつかの実施形態では、ゲージ１０６は、膨張チャンバ１１０の外側で見えるときに、膨張式チャンバの膨張のレベルを表示するように構成された１つまたはそれ以上のマーキングを含むのがよい。例えば、膨張チャンバ１１０から外に延びるように構成されたゲージ１０６のセクションは、膨張チャンバ１１０内でのペレット１８２の膨張の量を表示する１つまたはそれ以上の線および／または数を含むのがよい。シャフト１０５は、膨張チャンバ１１０内での膨張式おもちゃの膨張のレベルを表示するように構成された１つまたはそれ以上のマーキングを含むのがよい。いくつかの実施形態では、膨張チャンバは、フランジ１１３を含むのがよい。フランジ１１３は、例えば、膨張式おもちゃの膨張の前に、シャフト１０５が、膨張チャンバ１１０内でその再内部位置にあるときに、膨張チャンバ１１０の外部面に係合するように構成されるのがよい。いくつかの実施形態では、シャフト１０５は、フランジ１１３とカップ１０７の間で延びるのがよい。
【００４３】
図１３は、膨張装置１１０の断面図を示している。図１３は、流体送給システムの係止機構１４０および通路１１６を示している。
【００４４】
図１４は、膨張チャンバ１１０内に位置決めされた膨張式ペレット１８２の実施形態を示している。いくつかの実施形態では、膨張式ペレット１８２は、膨張チャンバ１１０内に位置決めされたときに膨張装置１００の流体送給システムから流体を受け入れるように構成されるのがよい。いくつかの実施形態では、膨張式ペレット１８２は、本体１８１を含むのがよい。いくつかの実施形態では、膨張式１８２は、本体１８１から延びるステム１８３を含むのがよい。いくつかの実施形態では、膨張式ペレット１８２は、ベースまたはフランジ１８５を含むのがよい。いくつかの実施形態では、フランジ１８５は、ステム１８３の端から延びている。
【００４５】
いくつかの実施形態では、ステム１８３は、膨張装置１００の流体送給システムから流体を受け入れるように構成されるのがよい。いくつの実施形態では、ステム１８３は、膨張装置の流体送給システムのニードル１２６または管によって選択的に穴あけされるのがよい。いくつかの実施形態では、ステムは、膨張装置１００によって把持されるように寸法および形状決めされるのがよい。膨張装置１００によるステム１８３の把持は、ニードル１２６との整合を容易にすることができる。いくつかの実施形態では、ステムは、圧縮された流体が本体１８１を、図１４に示されているような第１の形態から図１９に示されているような第２の形態に膨張させるようにニードルによって穴あけされるときに、膨張装置１００によって把持されるように寸法および形状決めされている。例えば、ペレット１８２は、膨張装置１００と係合するためにステム１８３の外側面上に１つまたはそれ以上の溝を含むがよい。１つまたはそれ以上の溝は、ステム１８３の周のまわりに延びるのがよい。いくつかの実施形態では、フランジ１８５は、少なくともニードル１２６がステムを穴あけするときに、膨張装置１００と係合するように構成されるのがよい。
【００４６】
ペレット１８２はまた、ニードル１２６から流体を受け入れるように構成されたチャンネルを含むのがよい。チャンネルは、ニードル１２６からペレット１８２の本体１８１の内部に流体を流すことができる。チャンネルは、ステム１８３の一部を通って本体１８３の内部まで延びているのがよい。いくつかの実施形態では、ペレット１２８は、ペレット１８２の内部キャビティを構成する内部膜を含むのがよい。内部膜は、第１の形態から第２の形態への本体１８１の膨張を可能にするようにニードル１２６によって穴あけされるのがよい。ステム１８３は、ステム１８３からのニードル１２６の除去後、かつ、本体１８１が第２の形態にあるときに、実質的にシールするように構成されるのがよい。いくつかの実施形態では、１つまたはそれ以上のバンドまたはＯ-リングを使用して、ニードル１２６の除去後、ステム１８３をシールすることができる。いくつかの実施形態では、１つまたはそれ以上のバンドまたはＯ-リングは、ニードル１２６によるペレット１８２の穴あけの前にステム１８３上に配置されるのがよい。いくつかの実施形態では、１つまたはそれ以上のバンドまたはＯ-リングは、ステム１８３を通して延びるチャンネルを閉じるようにステム１８３上に力を及ぼす。いくつかの実施形態では、１つまたはそれ以上のバンドまたはＯ-リングは、ペレット１８２の膨張前にノズル上に位置決めされるのがよい。いくつかの実施形態では、１つまたはそれ以上のバンドまたはＯ-リングは、膨張前または傍聴後のいずれかにノズルからステム１８３までスライド、或いはその他の仕方で移動されるのがよい。
【００４７】
いくつかの実施形態では、ペレット１８２は、第１の形態にあるときに、円筒形状を有するのがよい。いくつかの実施形態では、ペレット１８２は、第１の形態にあるときに、長円形状を有するのがよい。いくつかの実施形態では、ペレット１８２は、第１の形態にあるときに、楕円形状を有するのがよい。いくつかの実施形態では、ペレット１８２は、第１の形態にあるときに、略立方体形状を有するのがよい。いくつかの実施形態では、ペレット１８２は、第１の形態にあるときに、略ピラミッド形状を有するのがよい。いくつかの実施形態では、ペレット１８２は、第１の形態にあるときに、中実である。代替的には、ステム１８３、本体１８１、または１８５の１つまたはそれ以上は、第１の形態にあるときに、中実である。第１の形態では、ペレット１８２の径は、１０ｍｍから２０ｍｍである。いくつかの実施形態では、第２の形態では、ペレット１８２は、第１の形態のペレット１８２の寸法の３倍と１０倍の間にある。いくつかの実施形態では、第２の実施形態では、ペレット１８２は、第１の形態のペレット１８２の寸法の少なくとも３倍である。いくつかの実施形態では、ペレット１８２は、第２の形態で３０ｍｍ〜１００ｍｍの径を有するのがよい。いくつかの実施形態では、ペレット１８２は、第２の実施形態で少なくとも３０ｍｍの径を有するのがよい。いくつかの実施形態では、ペレット１８２は、第２の形態にあるときに、内側面および外側面を有する壁を形成するのがよい。
【００４８】
ペレット１８２は、膨張装置１００を使用した膨張に適した任意の材料を含むのがよい。いくつかの実施形態では、ペレット１８２の少なくとも一部は、プラスチックであるのがよい。いくつかの実施形態では、ペレット１８２の少なくとも一部は、化合物であるのがよい。いくつかの実施形態では、ペレット１８２の少なくとも一部は、ゴムであるのがよい。いくつかの実施形態では、ペレット１８２の少なくとも一部は、弾性材料であるのがよい。いくつかの実施形態では、ペレット１８２の少なくとも一部は、合成ゴムであるのがよい。ペレット１８２の少なくとも一部は、スチレンエチレンブチレンスチレン(SEBS)であるのがよい。
【００４９】
いくつかの実施形態では、ペレット１８２の少なくとも一部は、０°ショアＡ測定値を有する材料である。いくつかの実施形態では、ペレット１８２の少なくとも一部は、０°ショアＡ SEBSである。いくつかの実施形態では、ペレット１８２の少なくとも一部は、４０°ショアＡ00よりも小さいSEBSである。いくつかの実施形態では、ペレット１８２の少なくとも一部は、射出成形されるように構成された材料である。いくつかの実施形態では、ペレット１８２の少なくとも一部は、圧縮成形されるように構成された材料である。
【００５０】
いくつかの実施形態では、ペレット１８２の少なくとも一部は、接着材を含む。いくつかの実施形態では、接着材は、ペレット１８２内に埋設されているのがよい。いくつかの実施形態では、接着材は、ペレット１８２の少なくとも一部上に被覆されている。いくつかの実施形態では、ペレット１８２の外側面の少なくとも一部は、本体が第２の形態にあるときに、粘着表面を有する。いくつかの実施形態では、接着材材料は、２つまたはそれ以上の膨張されたペレット１８２の互いの接着を容易にするのに十分な接着強さを有するのがよい。
【００５１】
いくつかの実施形態では、ペレット１８２は、コーティングまたはバリアを含むのがよい。いくつかの実施形態では、コーティングまたはバリアは、ペレット１８２が第２の形態にあるときに、ペレット１８２の膨張を抑制または遅らせるように構成されるのがよい。いくつかの実施形態では、コーティングまたはバリアは、ペレット１８２の内部からペレット１８２の外部への流体の流れを抑制または遅らせるのがよい。いくつかの実施形態では、コーティングまたはバリアは、ペレット１８２の外側面に付けられるのがよい。いくつかの実施形態では、コーティングまたはバリアは、ペレット１８２の内側面に付けられるのがよい。いくつかの実施形態では、コーティングまたはバリアは、ペレット１８２の壁内に埋設されるのがよい。
【００５２】
いくつかの実施形態では、膨張装置１１０の第１のセクション１６２aおよび第２のセクション１６２bは、開放形態と閉鎖形態の間で膨張チャンバを並進移動させるように互いに対して移動することができる。図１４は、開放形態にある膨張チャンバ１１０の例を示している。開放形態にあるときに、膨張チャンバ１１０は、ペレット１８２を受け入れるように構成されるのがよい。
【００５３】
いくつかの実施形態では、膨張チャンバ１１０は、膨張チャンバ１１０内にペレット１８２を受け入れおよび／または取り付けるように構成された１つまたはそれ以上の凹部１４８を含むのがよい。いくつかの実施形態では、第１のセクション１６２aおよび第２のセクション１６２bの各々は、膨張チャンバ１１０内にペレット１８２を受け入れおよび／または取り付けるように構成された１つまたはそれ以上の凹部１４８を含む。いくつかの実施形態では、凹部１５８は、ペレット１８２のステム１８３を受け入れるように構成されるのがよい。
【００５４】
いくつかの実施形態では、開放形態から閉鎖形態への膨張チャンバ１１０の並進移動は、膨張チャンバ１１０内の凹部１４８内に位置決めされたペレット１８２を取り付ける。いくつかの実施形態では、ペレットのステム１８３は、膨張チャンバ１１０が閉鎖形態にあるときに、凹部１４８内に取り付けられるように寸法形状決めされるのがよい。いくつかの実施形態では、凹部１４８は、膨張チャンバ１１０が第２の形態にあるときに、ペレット１８２の移動を拘束するように寸法形状決めされている。いくつかの実施形態では、凹部１４８は、膨張チャンバ１１０が閉鎖形態にあるときに、膨張チャンバ１１０内で開口部を形成する。いくつかの実施形態では、本体１８１および／またはフランジ１８５は、膨張チャンバ１１０が閉鎖形態にあるときに、凹部１４８によって形成される開口部よりも大きな断面積または周を有するのがよい。いくつかの実施形態では、膨張チャンバ１１０が閉鎖形態にあるときに凹部１４８によって形成される開口部は、本体１８１および／またはフランジ１８５の通過を防止するのがよい。いくつかの実施形態では、ペレット１８２の少なくとも一部は、膨張チャンバ１１０の１つまたはそれ以上の内部面によって支持されている。
【００５５】
いくつかの実施形態では、ペレット１８２が膨張チャンバ１１０内に取り付けられた後には、膨張チャンバ１１０は、本願で説明されているように、膨張装置１００の本体１３６bに結合されるのがよい。いくつかの実施形態では、膨張チャンバ１１０は、ペレット１８２が、膨張チャンバ１１０が膨張装置１１０の本体１３６b内に受け入れられるときに開口部１６７および／またはニードル１２６と整合するようにペレット１８２を取り付けるように構成されるのがよい。いくつかの実施形態では、膨張チャンバ１１０は、フランジ１８５が、膨張チャンバ１１０が膨張装置１１０の本体１３６b内に受け入れられるときに開口部１６７および／またはニードル１２６と整合するようにペレット１８２を取り付けるように構成されるのがよい。いくつかの実施形態では、膨張チャンバ１１０は、ニードル１２６が、該ニードルが１２６が開口部１６７から延長されるときにペレット１８２のチャンネルおよび／または膜を穴あけするように整合されるようにレット１８２を取り付けるように構成されるのがよい。本願で説明されているように、膨張装置１００は、第１の形態から第２の形態にペレット１８２を膨張させるために流体を、ニードル１２６を通してペレット１８２に差し向けるのがよい。
【００５６】
いくつかの実施形態では、ニードル１２６は、膨張中該ニードル１２６からのペレット１８２の係合外れ、または、該ニードルに対するペレット１８２の移動を防止するための１つまたはそれ以上の表面特徴を含むのがよい。例えば、ニードル１２６は、１つまたはそれ以上のとげ(barb)を含むのがよい。いくつかの実施形態では、ニードル１２６の断面は、ニードルの中心軸線に沿って変化するのがよい。いくつかの実施形態では、ペレット１８２のステム１８３は、ニードル１２６をステム１８３から除去した後に実質的にシールするように構成されるのがよい。
【００５７】
いくつかの実施形態では、ペレット１８２の膨張後、膨張チャンバ１１０は、膨張装置１００から取り外されるのがよく、膨張チャンバ１１０は、膨張されたペレット１８２の取り外しを容易にするように開放形態に開放されるのがよい。
【００５８】
図１４はまた、膨張チャンバ１１０内の開口部または通路から外に延びるゲージ１０６を示している。いくつかの実施形態では、ゲージ１０６は、ペレット１８２が膨張チャンバ１１０内に取り付けられるときに、カップ１０７がペレット１８２と整合するように、位置決めされるのがよい。いくつかの実施形態では、ゲージ１０６は、膨張チャンバ１１０が膨張装置１００の本体１３６bに結合されるときに、カップ１７１がペレット１８２の本体１８１に係合するように、膨張チャンバ１１０内に移動されるのがよい。いくつかの実施形態では、ゲージ１０６は、ペレット１８２の膨張により、例えば、ゲージ１０６のカップ１０７に力を及ぼすことによって、膨張チャンバ１１０の外に移動されるように、膨張チャンバ１１０内に位置決めされるのがよい。いくつかの実施形態では、ゲージ１０６は、膨張チャンバ１１０の外側で見えるときにペレット１８２の膨張のレベルを表示するように構成された１つまたはそれ以上のマーキングを含むのがよい。例えば、シャフト１０５のようなゲージのセクションは、膨張チャンバ１１０内でのペレット１８２の膨張の量を表示する１つまたはそれ以上の線および／または数を含むのがよい。
【００５９】
いくつかの代替実施形態では、ペレット１８２は、膨張チャンバ１１０内に配置される前に面１６６上に直接配置されるのがよい。かかる実施形態では、膨張チャンバ１１０は、蓋であるのがよい。かかる実施形態では、膨張チャンバ１１０は、ペレット１８２がニードル１２６を受け入れるように位置決めされるときにペレット１８２に係合しなくてもよい。いくつかの実施形態では、膨張装置１００は、ペレット１８２に係合するように構成された１つまたはそれ以上のクリップを含むのがよい。いくつかの実施形態では、クリップは、開口部１６７と整合するようにペレット１８２を位置決めするのがよい。いくつかの実施形態では、クリップは、ニードル１２６が面６６内の穴を通って前進するときに、ペレット１８２がニードル１２６を受け入れるようになるように、ペレット１８２をニードル１２６と整合させるように構成されるのがよい。いくつかの実施形態では、クリップは、面１６６に取り付けられているのがよい。いくつかの実施形態では、クリップは、互いに対して回転可能であるのがよい。いくつかの実施形態では、クリップは、ペレット１８２がクリップ内に取り付けられるときにニードル１２６を受け入れるための開口部を含むのがよい。
【００６０】
図１５は、ペレット１８２の斜視図である。図１６は、ペレット１８２の正面図である。図１７は、ペレット１８２の頂面図である。図１８は、ペレット１８２の底面図である。
【００６１】
いくつかの実施形態では、ペレット１８２が第２の形態に膨張され、膨張装置１８２から取り外された後に、ペレット１８２は、１つまたはそれ以上の他のペレット１８２に係合されておもちゃ構造体を形成することができる。図１９は、第２のすなわち膨張形態の１対のペレット１８２を示している。いくつかの実施形態では、ペレット１８２は、互いに取り付けられ、または、接着されるのがよい。本願で説明されているように、いくつかの実施形態では、ペレット１８２の少なくとも一部は、接着材を含むのがよい。いくつかの実施形態では、接着材は、ペレット１８２内に埋設されているのがよい。いくつかの実施形態では、接着材は、ペレット１８２の少なくとも一部上に被覆されているのがよい。いくつかの実施形態では、ペレット１８２の外側面の少なくとも一部は、本体が第２の形態にあるときに、粘着表面を有する。いくつかの実施形態では、接着材は、２つまたはそれ以上のペレット１８２の互いの接着を容易にするのに十分な接着強さを有するのがよい。
【００６２】
いくつかの実施形態では、図１９に示されているような、コネクタ２８０のような追加の構成要素が、ペレット１８２のおもちゃ構造体に配置されるのがよい。追加の構造体は、コネクタ、吸引カップ、ステッカー、紙、フェルト、グリッタ(glitters)、或いは、ペレット１８２の構造体に接着するように構成されたその他の任意の構成要素を含むことができる。
【００６３】
おもちゃ構造体３００の例が、図２０に示されている。図２０に示されているように、おもちゃ構造体３００は、複数のペレット１８２を含むのがよい。おもちゃ構造体はまた、複数のコネクタ２８０、或いは、本願に記載されているような他の追加の構成要素を含んでもよい。いくつかの実施形態では、ペレット１８２が互いに連結された後に、ペレット１８２は、異なる設計を形成するように再構成されることができる。いくつかの実施形態では、膨張されたときに異なる形状を有する多数の膨張式ペレットが設けられている。いくつかの実施形態では、ペレット１８２は、作図、塗装、文字書き、彩色、或いはその他の仕方で、膨張されたペレット１８２の外部面をマーキングすることを可能にする材料を含むのがよい。
【００６４】
いくつかの実施形態では、ペレット１８２は、壁、ドア、天井、または、窓のような１つまたはそれ以上の表面に接着する、或いは、少なくとも部分的に接着するように構成されているのがよい。いくつかの実施形態では、ペレット１８２で１つまたはそれ以上のゲームを行うことができる。例えば、使用者は、ペレット１８２を表面に接着するように表面めがけて１つまたはそれ以上のペレット１８２を投げることができる。いくつかの実施形態では、ペレット１８２は、ペレット１８２を使用したゲームプレイを容易にするように種々の色にすることができる。例えば、いくつかの実施形態では、多数の使用者が、ペレット１８２を表面に接着するように表面めがけて１つまたはそれ以上のペレット１８２を投げることができる。各使用者は、使用者に割り当てられたペレット１８２の色を使用した形状を創出することを目的として、異なる色のペレット１８２を投げることができる。いくつかの実施形態では、ゲームは、おもちゃ構造体を創出するためにペレット１８２を積み重ねることを含むことができる。いくつかの実施形態では、２人またはそれ以上のプレイヤーが、最も高いおもちゃ構造体を創出するように競争することができる。
【００６５】
上記の詳細な説明は、種々の実施形態に適用されるように本開発の新規な特徴を示し、記載し、指摘してきた。例示された装置の形態および詳細の種々の省略、代替、および、変形が、本開発の精神から逸脱することなく当業者によりなされることができることが理解されるであろう。認識されるように、本開発は、いくつかの特徴が他から別個に使用されまたは実施されることができるように、本願に示された特徴および利益の必ずしもすべてを提供しない形態内で実施することができる。特許請求の範囲の均等の意味および範囲内にあるすべての変形は、特許請求の範囲内に包含されるべきである。
【００６６】
これまでの詳細な説明は、本願に開示されたシステム、装置、および、方法のいくつかの実施形態を含む。しかしながら、これまでの詳細な説明がどのようにテキストに現れようとも、システム、装置、および、方法は、多くの仕方で実施することができる。上記にまた述べられているように、本発明のいくつかの特徴または観点を説明するときの特定の用語法の使用は、この用語法が、該用語法が関連する該用語法の特徴および観点をいかなる特定の特徴を含むものに制限されるように再構成されていることを意味すると取られるべきではないことに留意すべきである。
【００６７】
種々の変更および変形が、記載された用語法の範囲から逸脱することなくなすことができることが当業者によって理解されるであろう。かかる変更および変形は、実施形態の範囲内にあることが意図されている。１つの実施形態に含まれている部品は、他の実施形態と互換可能であり、図示された実施形態からの１つまたはそれ以上の部品は、任意の組み合わせにおいて他の図示された実施形態とともに含められることができることも当業者によって理解されるであろう。例えば、本願に記載され、および／または図面に示された種々の構成要素のいずれもが、組み合わされ、互換され、または、他の実施形態から除外されることができる。
【００６８】
本願での実質的に任意の複数および／または単数の用語の使用に関して、当業者は、文脈または／または適用にとって適切であるように、複数から単数に、および／または、単数から複数に移行することができる。種々の単数／複数の順列は、明確化のために本願に明示的に示されている。
【００６９】
一般的に、本願で使用されている用語は、「オープン」タームズ(“open”terms)（例えば、用語「含む(including)」は、等を含む(including but not limited to)と解釈されるべきであり、用語「有する(having)」は、少なくとも有する(having at least)と解釈されるべきであり、用語「含む(includes)」は、等を含む(includes but not limited to)と解釈されるべきであることが当業者には理解されるであろう。導入された請求項の記載の特定の数が意図される場合には、かかる意図は、その請求項に明示的に記載されるであろうし、かかる記載がない場合には、かかる意図は、存在しないことがさらに当業者には理解されるであろう。例えば、理解の助けとして、以下の添付の特許請求の範囲は、請求項の記載を導入するための導入句「少なくとも１つの」および「１つまたはそれ以上の」の使用を含むことがある。しかしながら、かかる句の使用は、不定冠詞“a”または“an”による請求項の導入は、同じ請求項が導入句「少なくとも１つの」または１つまたはそれ以上の」、および、“a”または“an”のような不定冠詞を含むときにさえ、かかる導入された請求項の記載を含む任意の特定の請求項を、そのような１つの記載だけを含む実施形態に限定することを意味すると解釈されるべきではなく（例えば、“a”および／または“an”は、典型的には、「少なくとも１つの」または「１つまたはそれ以上の」を意味するものと解釈されるべきであり）、同じことは、請求項の記載を導入するために使用される不定冠詞の使用についても真実である。さらに、導入された請求項の特定の数が明示的に記載されている場合であっても、当業者は、かかる記載が、典型的には、記載された数を意味するものと解釈されるべきであることを理解するであろう（例えば、修飾語のない「２つの記載」という裸の記載は、典型的には、少なくとも２つの記載、または、２つまたはそれ以上の記載を意味する）。さらには、「Ａ、Ｂ、および、Ｃの少なくとも１つ」と同様な在来の記載が使用されている場合には、一般的には、かかる構造は、当業者がその在来の記載を理解する意味で意図されている（例えば、「Ａ、Ｂ、および、Ｃの少なくとも１つを有するシステム」は、Ａだけ、Ｂだけ、Ｃだけ、ＡおよびＢ、ＡおよびＣ、ＢおよびＣ、Ａ、Ｂ、および、Ｃを有するシステム等を含むであろう）。「Ａ、Ｂ、または、Ｃ、等の少なくとも１つ」と同様な在来の記載が使用されている場合には、一般的には、かかる構造は、当業者がその在来の記載を理解する意味で意図されている（例えば、「Ａ、Ｂ、またはＣの少なくとも１つを有するシステム」は、Ａだけ、Ｂだけ、Ｃだけ、ＡおよびＢ、ＡおよびＣ、ＢおよびＣ、および／または、Ａ、Ｂ、および、Ｃ等を有するシステム等を含むであろう）。明細書、特許請求の範囲、または、図面のいずれにおいてあろうと、２つまたはそれ以上の用語を有する実質的に任意の離接語および／または句は、用語の１つ、用語のいずれか、または、用語の両方を含む可能性を考えているものと理解されるべきであることがさらに当業者によって理解されるであろう。例えば、句「ＡまたはＢは、「Ａ」、「Ｂ」、または、「ＡおよびＢ」の可能性を含むものと理解されるであろう。
【００７０】
本願で使用されている「含む(comprising)」は、「含む(including)」、「含む(containing)」、または、「によって特徴付けられる(characterized by)」と類義であり、すべてを含む(inclusive)、または、制限されない(open-ended)であり、追加の、記載されていない要素および方法段階を除外しない。
【００７１】
上記の説明は、本開発のいくつかの製造の方法および材料を開示する。本開発は、方法および材料における変更、並びに、製作方法および設備における改変を受けることができる。かかる変更は、本願で開示された本開発の開示および実施を考慮することから、当業者では明らかである。したがって、本開発は、本願で開示されている特定の実施形態に制限されることは意図されておらず、本開発は、添付の特許請求の範囲に具現化されている本開発の真の範囲および開示内に入るすべての変形および代替をカバーすることが意図されている。
【００７２】
上記の詳細な説明は、種々の実施形態に適用されるように本開発の新規な特徴を示し、記載し、指摘してきた。例示された装置の形態および詳細の種々の省略、代替、および、変形が、本開発の精神から逸脱することなく当業者によりなされることができることが理解されるであろう。認識されるように、本開発は、いくつかの特徴が他から別個に使用されまたは実施されることができるように、本願に示された特徴および利益の必ずしもすべてを提供しない形態内で実施することができる。本発明の範囲は、これまでの説明によってではなく、添付の特許請求の範囲によって示されている。特許請求の範囲の均等の意味および範囲内にあるすべての変形は、特許請求の範囲内に包含されるべきである。
【符号の説明】
【００７３】
１００      膨張装置
１０２      ハウジング
１１４      ポンプ
１１０      膨張チャンバ
１２６      ニードル
１８１      本体
１８２      膨張式ペレット
１８３      ステム
１８５      フランジ
【図１】
2018061833.tif 000003
【図２】
2018061833.tif 000004
【図３】
2018061833.tif 000005
【図４】
2018061833.tif 000006
【図５】
2018061833.tif 000007
【図６】
2018061833.tif 000008
【図７】
2018061833.tif 000009
【図８】
2018061833.tif 000010
【図９】
2018061833.tif 000011
【図１０】
2018061833.tif 000012
【図１１】
2018061833.tif 000013
【図１２】
2018061833.tif 000014
【図１３】
2018061833.tif 000015
【図１４】
2018061833.tif 000016
【図１５】
2018061833.tif 000017
【図１６】
2018061833.tif 000018
【図１７】
2018061833.tif 000019
【図１８】
2018061833.tif 000020
【図１９】
2018061833.tif 000021
【図２０】
2018061833.tif 000022
【外国語明細書】
2018061833000001.pdf